(57)【要約】      （修正有）【課題】極低温の炭酸ガスを充填したボンベ等を問題なく背負うことができ、殺虫作業やボンベの点検、あるいはボンベの取り換え作業等を無理なく行うことができる炭酸ガスボンベの背負い具を提供する。【解決手段】底板部と、底板部から立ち上げた背負いフレーム部と、背負いフレーム部の両側を折り曲げて形成した側面フレーム部とを備えた本体フレーム１２と、底板部のほぼ中央位置から立ち上げた炭酸ガスボンベ１５の下部収納筒と、炭酸ガスボンベの上部保持筒と、下部収納筒に上部保持筒を着脱自在に連結する着脱手段を備えた炭酸ガスボンベの保持機構と、内面に断熱層を形成し、背面に背負い紐を取り付けた断熱カバー１４とを備え、本体フレームを断熱カバーに収納し、人一人が背負って運べるようにした。【選択図】図１０
0003212027.tif 000002
【実用新案登録請求の範囲】
【請求項１】
底板部と、該底板部から立ち上げた背負いフレーム部と、該背負いフレーム部の両側を折り曲げて形成した側面フレーム部とを備えた本体フレームと、
前記底板部のほぼ中央位置から立ち上げた炭酸ガスボンベの下部収納筒と、
前記炭酸ガスボンベの上部保持筒と、前記下部収納筒に上部保持筒を着脱自在に連結する着脱手段を備えた炭酸ガスボンベの保持機構と、
内面に断熱層を形成し、背面に背負い紐を取り付けた断熱カバーとを備え、
前記本体フレームを前記断熱カバーに収納し、人一人が背負って運べるようにしたことを特徴とする炭酸ガスボンベの背負い具。
【請求項２】
前記着脱手段が、前記下部収納筒の側壁に回動可能に取り付けられた複数の係合アーム部と、前記上部保持筒の側壁の前記係合アーム部に対応する位置に取り付けられて、前記係合アーム部の端部を係合保持するフック部と、前記係合アーム部の基端部に取り付けたロック部とを備えたことを特徴とする請求項１に記載の炭酸ガスボンベの背負い具。
【請求項３】
前記断熱カバーが、上面に形成した前記本体フレームを出し入れする開口蓋と、該開口蓋内に配置した点検用開口部と、側面に形成した炭酸ガスボンベに装着したノズルを出し入れするノズル孔とを備えたことを特徴とする請求項１または２に記載の炭酸ガスボンベの背負い具。
【考案の詳細な説明】
【技術分野】
【０００１】
本考案は炭酸ガスボンベの背負い具に関し、より詳しくは炭酸ガスボンベを無理なく装着し、極低温の炭酸ガスをダニ類や蚤、虱等の害虫が付着した畳やカーペット等に適用して炭酸ガス雰囲気を作り、簡易迅速に殺虫することを可能とした炭酸ガスボンベの背負い具を提供しようとするものである。
【背景技術】
【０００２】
従来、特開平５−２１９８７２号公報（特許文献１参照）のように極低温の炭酸ガスをダニ類や蚤、虱等の害虫が付着した畳やカーペット等に適用して炭酸ガス雰囲気を作り、殺虫することが試みられている。しかしながら、本先行技術においては、極低温の炭酸ガスを充填したボンベ等を背負い式にすることは考えられていなかった。
【０００３】
他方、ガスボンベを背負い式にして持ち運び可能とすることについては、以下のような先行技術が存在する。
特開昭５３−３４２３７号公報（特許文献２参照）には、使用者の背中に置かれる本体部分と、前記本体部分を使用者が背負うための背負い手段と、前記本体部分の外側に圧縮ガスのボンベを離脱可能に取付けるベルト状縛持手段とからなり、前記ベルト状縛持手段が前記ガスボンベの胴体部の周面の少なくとも一部をめぐって接触延長し両端において前記本体部分の対応する両側縁に係留され、前記本体部分の両側縁の少なくとも一方が前記ボンベの軸に対して傾斜して形成され、前記ベルト状縛持手段の対応係留端が前記本体部分の傾斜縁に沿って変位可能であり、この変位によって前記ベルト状縛持手段による前記ボンベに対する緊縛力を調節可能にしたことを特徴とする背負い具が示されている。
【先行技術文献】
【特許文献】
【０００４】
【特許文献１】特開平５−２１９８７２号公報
【特許文献２】特開昭５３−３４２３７号公報
【考案の概要】
【考案が解決しようとする課題】
【０００５】
以上のように従来、ガスボンベを背負い式にして持ち運び可能とする背負い具が知られているが、極低温の炭酸ガスを充填したボンベ等を背負うものとしては好適なものではなかった。
すなわち、極低温の炭酸ガスを充填したボンベ等を背負う際には、ボンベ等が極低温であることが問題となって、特開昭５３−３４２３７号公報（特許文献２参照）の背負い具を採用することはできなかったのである。
【０００６】
そこで本考案の目的は、極低温の炭酸ガスを充填したボンベ等を背負う際にも問題なく背負うことができ、しかもその後の殺虫作業やボンベの点検、あるいはボンベの取り換え作業等を無理なく行うことができる炭酸ガスボンベの背負い具を提供することにある。
【課題を解決するための手段】
【０００７】
すなわち本考案の炭酸ガスボンベの背負い具は、底板部と、該底板部から立ち上げた背負いフレーム部と、該背負いフレーム部の両側を折り曲げて形成した側面フレーム部とを備えた本体フレームと、
前記底板部のほぼ中央位置から立ち上げた炭酸ガスボンベの下部収納筒と、
前記炭酸ガスボンベの上部保持筒と、前記下部収納筒に上部保持筒を着脱自在に連結する着脱手段を備えた炭酸ガスボンベの保持機構と、
内面に断熱層を形成し、背面に背負い紐を取り付けた断熱カバーとを備え、
前記本体フレームを前記断熱カバーに収納し、人一人が背負って運べるようにしたことを特徴とするものである。
【０００８】
本考案の炭酸ガスボンベの背負い具において、前記着脱手段が、前記下部収納筒の側壁に回動可能に取り付けられた複数の係合アーム部と、前記上部保持筒の側壁の前記係合アーム部に対応する位置に取り付けられて、前記係合アーム部の端部を係合保持するフック部と、前記係合アーム部の基端部に取り付けたロック部とを備えたことをも特徴とするものである。
【０００９】
本考案の炭酸ガスボンベの背負い具において、前記断熱カバーが、上面に形成した前記本体フレームを出し入れする開口蓋と、該開口蓋内に配置した点検用開口部と、側面に形成した炭酸ガスボンベに装着したノズルを出し入れするノズル孔とを備えたことをも特徴とするものである。
【考案の効果】
【００１０】
請求項１の考案によれば、前記本体フレームによって背負う人と炭酸ガスボンベとの間隔を保持するとともに、炭酸ガスボンベを取り付けた前記本体フレームを断熱カバーに収納するようにしたことにより、極低温の炭酸ガスを充填したボンベ等を背負う際にも問題なく背負うことが可能な炭酸ガスボンベの背負い具を提供することができる。
【００１１】
請求項２の考案によれば、前記着脱手段が、前記下部収納筒の側壁に回動可能に取り付けられた複数の係合アーム部と、前記上部保持筒の側壁の前記係合アーム部に対応する位置に取り付けられて、前記係合アーム部の端部を係合保持するフック部とを備えたことにより、本体フレームへの炭酸ガスボンベの取り付け、取り外し作業をワンタッチで行うことを可能とした炭酸ガスボンベの背負い具を提供することができる。
【００１２】
請求項３の考案によれば、前記断熱カバーが、上面に形成した前記本体フレームを出し入れする開口蓋と、該開口蓋内に配置した点検用開口部と、側面に形成した炭酸ガスボンベに装着したノズルを出し入れするノズル孔とを備えたものとしたので、本体フレームの前記断熱カバーへの収納ないし取り出し作業を簡単に行うことができ、しかも断熱カバーを背負った状態でのノズルによる殺虫作業を可能とした炭酸ガスボンベの背負い具を提供することができる。
【図面の簡単な説明】
【００１３】
【図１】本考案の炭酸ガスボンベの背負い具の実施の形態を示すものであり、炭酸ガスボンベを取り付けた状態の本体フレームを示す概略正面図である。
【図２】その概略側面図である。
【図３】その概略平面図である。
【図４】本体フレームの下部収納筒に炭酸ガスボンベを収納しようとする状態の概略斜視図である。
【図５】本体フレームの下部収納筒に炭酸ガスボンベを収納した状態の概略斜視図である。
【図６】炭酸ガスボンベに上部保持筒を装着した状態を示す概略斜視図である。
【図７】前記下部収納筒に上部保持筒を着脱手段で連結した状態を示す概略斜視図である。
【図８】炭酸ガスボンベの上部からホースを引き出した状態を示す概略斜視図である。
【図９】炭酸ガスボンをセットした本体フレームを断熱カバーに収納しようとする状態を示す概略斜視図である。
【図１０】収納した状態を示す概略斜視図である。
【図１１】炭酸ガスボンをセットした本体フレームを断熱カバーに収納した上、開口蓋を閉じた状態の概略斜視図である。
【図１２】断熱カバー側面のノズル孔からホースを引き出した状態の概略斜視図である。
【図１３】断熱カバー上部の開口蓋に設けた点検用開口部を開いた状態を示す概略斜視図である。
【図１４】断熱カバー底面にキャスタを配置した状態を示す概略底面図である。
【考案を実施するための形態】
【００１４】
以下図面に基いて本考案の炭酸ガスボンベの背負い具の実施の形態を詳細に説明する。
図１ないし図８は炭酸ガスボンベの背負い具の実施例を示すものである。
まず基本構造として、本考案の炭酸ガスボンベの背負い具１１は、本体フレーム１２と炭酸ガスボンベの保持機構１３および断熱カバー１４とで構成されている。
図１ないし図３において、本体フレーム１２は、アルミパイプ等の金属製パイプからなり、底板２１ａを取り付けた底板部２１と、該底板部２１から立ち上げた背負いフレーム部２２と、該背負いフレーム部２２の両側を折り曲げて形成した側面フレーム部２３とを備えたものである
【００１５】
また、前記本体フレーム１２の底板部２１上に設置された炭酸ガスボンベの保持機構１３は、前記本体フレーム１２の底板部２１のほぼ中央位置から立ち上げた炭酸ガスボンベの下部収納筒３１と、前記炭酸ガスボンベの上部保持筒３２と、前記下部収納筒３１に上部保持筒３２を着脱自在に連結する着脱手段３３を備えたものである。
なお前記着脱手段３３は、前記下部収納筒３１の側壁に回動可能に取り付けられた左右一対の係合アーム部３４と、前記上部保持筒３２の側壁の前記係合アーム部３４に対応する位置に取り付けられ、前記係合アーム部３４の端部を係合保持するフック部３５と、前記係合アーム部３４の基端部に取り付けたロック部３６で構成されている。
【００１６】
図４ないし図８は、前記本体フレーム１２に取り付けた炭酸ガスボンベの保持機構１３へ、炭酸ガスボンベ１５を収納保持するプロセスを説明するためのものである。
まず図４は、本体フレーム１２の下部収納筒３１に炭酸ガスボンベ１５を収納しようとする状態を示し、下部収納筒３１の上面を開口している。
次いで図５のように下部収納筒３１に炭酸ガスボンベ１５を収納し、図６のように炭酸ガスボンベ１５に上部保持筒３２を被せて装着する。
その上で、図７のように前記下部収納筒３１に上部保持筒３２を着脱手段３３で連結する。すなわち、左右一対の係合アーム部３４の端部を前記上部保持筒３２の側壁に取り付けられたフック部３５にはめ込んだ上、前記係合アーム部３４の基端部に取り付けたロック部３６を押し下げて連結固定するのである。
したがって、本体フレーム１２への炭酸ガスボンベ１５の取り付け、取り外し作業をワンタッチで行うことができる。
なお、図８は炭酸ガスボンベ１５の上部からホース１６を引き出した状態を示すものである。なお、このホース１６としてはやや細径でコイル状の伸縮可能なものとすることが望ましい。
【００１７】
図９ないし図１４は、内面に断熱層４１を形成し、背面に背負い紐４２を取り付けた断熱カバー１４で、前記本体フレーム１２を前記断熱カバー１４に収納し、人一人が背負って運べるようにしたものである。
すなわち、前記断熱カバー１４はさらに、上面に形成した前記本体フレーム１２を出し入れする開口蓋４３と、該開口蓋４３内に配置した点検用開口部４４と、側面に形成した炭酸ガスボンベ１５に装着したノズルを出し入れするノズル孔４５とを備えている。
【００１８】
前記断熱カバー１４へ炭酸ガスボンベ１５を収納するには、まず図９のように前記開口蓋４３を開き、図１０に示すように炭酸ガスボン１５をセットした本体フレーム１２を断熱カバー１４内に収納する。図１１は炭酸ガスボン１５をセットした本体フレーム１２を断熱カバー１４に収納した上、開口蓋４３を閉じた状態を示すものである。
その上で、図１２に示すように断熱カバー１４側面のノズル孔４５からホース１６を引き出してホース１６の先端に取り付けたノズルから極低温の炭酸ガスを放出して殺虫するのである。
図１３は断熱カバー１４上部の開口蓋４３に設けた点検用開口部４４を開いた状態を示したもので、この点検用開口部４４を開いて炭酸ガスボンベ１５のバルブやホース１６の状況等を点検することができる。
なお、図１４は断熱カバー１４底面に配置したキャスタ４６を示すものであり、適宜炭酸ガスボンベの背負い具を床面等を走行して運搬することができる。
【００１９】
本実施形態によれば、前記本体フレーム１２によって背負う人と炭酸ガスボンベ１５との間隔（隙間）を保持するとともに、炭酸ガスボンベ１５を取り付けた前記本体フレーム１２を断熱カバー１４に収納するようにしたことにより、極低温の炭酸ガスを充填したボンベ等を背負う際にも問題なく背負うことが可能となった。
したがって、本体フレーム１２の前記断熱カバー１４への収納ないし取り出し作業を簡単に行うことができ、しかも断熱カバー１４を背負った状態でのノズルによる殺虫作業が可能となった。
【産業上の利用可能性】
【００２０】
本考案の炭酸ガスボンベの背負い具は、本来の極低温の炭酸ガスをダニ類や蚤、虱等の害虫が付着した畳やカーペット等に適用して炭酸ガス雰囲気を作り、殺虫する用途のみならず、それ以外の種々の用途にも適宜使用することができることはいうまでもない。
【符号の説明】
【００２１】
１１  炭酸ガスボンベの背負い具
１２  本体フレーム
１３  炭酸ガスボンベの保持機構
１４  断熱カバー
１５  炭酸ガスボンベ
１６  ホース
２１  底板部
２１ａ  底板
２２  背負いフレーム部
２３  側面フレーム部
３１  下部収納筒
３２  上部保持筒
３３  着脱手段
３４  係合アーム部
３５  フック部
３６  ロック部
４１  断熱層
４２  背負い紐
４３  開口蓋
４４  点検用開口部
４５  ノズル孔
４６  キャスタ
【図１】
0003212027.tif 000003
【図２】
0003212027.tif 000004
【図３】
0003212027.tif 000005
【図４】
0003212027.tif 000006
【図５】
0003212027.tif 000007
【図６】
0003212027.tif 000008
【図７】
0003212027.tif 000009
【図８】
0003212027.tif 000010
【図９】
0003212027.tif 000011
【図１０】
0003212027.tif 000012
【図１１】
0003212027.tif 000013
【図１２】
0003212027.tif 000014
【図１３】
0003212027.tif 000015
【図１４】
0003212027.tif 000016